【手続補正書】
【提出日】平成26年10月20日(2014.10.20)
【手続補正１】
【補正対象書類名】特許請求の範囲
【補正対象項目名】全文
【補正方法】変更
【補正の内容】
【特許請求の範囲】
【請求項１】
互いに暗号通信を行なう第１の制御手段と第２の制御手段とを備えた遊技用システムであって、
前記第１の制御手段と前記第２の制御手段とは、ともに、
外部から取得した認証鍵を用いて互いに暗号通信を行なう第１暗号通信処理手段と、
前記第１暗号通信処理手段による暗号通信の後に、該第１暗号通信処理手段による暗号通信よりもセキュリティレベルの高い暗号通信を行なう第２暗号通信処理手段と、
前記第２暗号通信処理手段に用いる暗号鍵を更新設定値に基づいて更新する第２暗号更新処理手段とを備え、
前記更新設定値は、前記第１暗号通信処理手段による暗号通信で送信され、
前記第１暗号通信処理手段は、前記第１の制御手段と前記第２の制御手段との認証に用いる情報を対象とした暗号通信を行ない、
前記第２暗号通信処理手段は、前記第１の制御手段と前記第２の制御手段との間で通信する情報のうち少なくとも遊技媒体を循環させる循環経路を有する封入式遊技機である遊技機に関する情報を対象とした暗号通信を行なう、遊技用システム。
【請求項２】
互いに暗号通信を行なう第１の制御手段と第２の制御手段とを備えた遊技用装置であって、
前記第１の制御手段と前記第２の制御手段とは、ともに、
外部から取得した認証鍵を用いて互いに暗号通信を行なう第１暗号通信処理手段と、
該第１暗号通信処理手段による暗号通信よりもセキュリティレベルの高い暗号通信を行なう第２暗号通信処理手段と、
前記第２暗号通信処理手段に用いる暗号鍵を更新設定値に基づいて更新する第２暗号更新処理手段とを備え、
前記更新設定値は、前記第１暗号通信処理手段による暗号通信で送信され、
前記第１暗号通信処理手段は、前記第１の制御手段と前記第２の制御手段との認証に用
いる情報を対象とした暗号通信を行ない、
前記第２暗号通信処理手段は、前記第１の制御手段と前記第２の制御手段との間で通信する情報のうち少なくとも技媒体を循環させる循環経路を有する封入式遊技機である遊技機に関する情報を対象とした暗号通信を行なう、遊技用装置。
【請求項３】
前記第１暗号通信処理手段は、外部から前記認証鍵を取得できない場合に、予め記憶してある仮情報を用いて互いに暗号通信を行なう、請求項１に記載の遊技用システム。
【請求項４】
前記第１暗号通信処理手段は、外部から前記認証鍵を取得できない場合に、予め記憶してある仮情報を用いて互いに暗号通信を行なう、請求項２に記載の遊技用装置。
【請求項５】
前記第１の制御手段と前記第２の制御手段との前記認証は、
認証方式の異なる複数種類の相互認証処理を前記第１の制御手段と前記第２の制御手段との間で行なう相互認証処理手段と、
該相互認証処理手段による各相互認証の単独での認証結果が不適正な場合に該単独での認証結果を認証相手の制御手段に通知せず、前記複数種類の相互認証すべてを実行した結果の異常を総括して、認証相手の制御手段に通知する総括通知手段とを含む、請求項１または請求項３に記載の遊技用システム。
【請求項６】
前記第１の制御手段と前記第２の制御手段との前記認証は、
認証方式の異なる複数種類の相互認証処理を前記第１の制御手段と前記第２の制御手段との間で行なう相互認証処理手段と、
該相互認証処理手段による各相互認証の単独での認証結果が不適正な場合に該単独での認証結果を認証相手の制御手段に通知せず、前記複数種類の相互認証すべてを実行した結果の異常を総括して、認証相手の制御手段に通知する総括通知手段とを含む、請求項２または請求項４に記載の遊技用装置。
【手続補正２】
【補正対象書類名】明細書
【補正対象項目名】０００６
【補正方法】変更
【補正の内容】
【０００６】
（１）  本発明は、互いに暗号通信を行なう第１の制御手段（メイン制御部３２３、またはＣＵ３、Ｐ台２、Ｚカウンタ、ＰＯＳ端末等）と第２の制御手段（ＣＵ通信制御部８０、またはＣＵ３、Ｐ台２、Ｚカウンタ、ＰＯＳ端末等）とを備えた遊技用システムであって、
前記第１の制御手段と前記第２の制御手段とは、ともに、
外部から取得した認証鍵を用いて互いに暗号通信を行なう第１暗号通信処理手段（図８、図９、図１１、図１２、図１３、図１４、図１９のＳＥ１モードによる暗号通信）と、
前記第１暗号通信処理手段による暗号通信の後に、該第１暗号通信処理手段による暗号通信よりもセキュリティレベルの高い暗号通信を行なう第２暗号通信処理手段（図７、図１５のＳＥ２モードによる暗号通信）と、
前記第２暗号通信処理手段に用いる暗号鍵を更新設定値に基づいて更新する第２暗号更新処理手段とを備え、
前記更新設定値は、前記第１暗号通信処理手段による暗号通信で送信され、
前記第１暗号通信処理手段は、前記第１の制御手段と前記第２の制御手段との認証に用いる情報を対象とした暗号通信を行ない、
前記第２暗号通信処理手段は、前記第１の制御手段と前記第２の制御手段との間で通信
する情報のうち少なくとも技媒体を循環させる循環経路を有する封入式遊技機である遊技機に関する情報を対象とした暗号通信を行なう。
【手続補正３】
【補正対象書類名】明細書
【補正対象項目名】００１２
【補正方法】変更
【補正の内容】
【００１２】
（４）  本発明の他の態様は、互いに暗号通信を行なう第１の制御手段（メイン制御部３２３）と第２の制御手段（ＣＵ通信制御部８０）とを備えた遊技用装置（カードユニット３）であって、
前記第１の制御手段と前記第２の制御手段とは、ともに、
外部から取得した認証鍵を用いて互いに暗号通信を行なう第１暗号通信処理手段（図８、図９、図１１、図１２、図１３、図１４、図１９のＳＥ１モードによる暗号通信）と、
該第１暗号通信処理手段による暗号通信よりもセキュリティレベルの高い暗号通信を行なう第２暗号通信処理手段（図７、図１５のＳＥ２モードによる暗号通信）と、
前記第２暗号通信処理手段に用いる暗号鍵を更新設定値に基づいて更新する第２暗号更新処理手段とを備え、
前記更新設定値は、前記第１暗号通信処理手段による暗号通信で送信され、
前記第１暗号通信処理手段は、前記第１の制御手段と前記第２の制御手段との認証に用いる情報を対象とした暗号通信を行ない、
前記第２暗号通信処理手段は、前記第１の制御手段と前記第２の制御手段との間で通信する情報のうち少なくとも技媒体を循環させる循環経路を有する封入式遊技機である遊技機に関する情報を対象とした暗号通信を行なう。
【手続補正４】
【補正対象書類名】明細書
【補正対象項目名】００１７
【補正方法】変更
【補正の内容】
【００１７】
このような構成によれば、更新されることのない初期ベクタ部が初期の鍵として配信されて共有されるために、復号手段による復号ができなくなったときの原因として、鍵更新手段により更新される更新部が食い違ったのか、あるいは初期ベクタ部がなんらかの原因で食い違ったのかという原因を突き止めることが可能となる。
（７）  上記（１）の遊技用システムにおいて、
前記第１暗号通信処理手段は、外部から前記認証鍵を取得できない場合に、予め記憶してある仮情報を用いて互いに暗号通信を行なう。
（８）  上記（４）の遊技用装置において、
前記第１暗号通信処理手段は、外部から前記認証鍵を取得できない場合に、予め記憶してある仮情報を用いて互いに暗号通信を行なう。
（９）  上記（１）または（７）の遊技用システムにおいて、
前記第１の制御手段と前記第２の制御手段との前記認証は、
認証方式の異なる複数種類の相互認証処理を前記第１の制御手段と前記第２の制御手段との間で行なう相互認証処理手段と、
該相互認証処理手段による各相互認証の単独での認証結果が不適正な場合に該単独での認証結果を認証相手の制御手段に通知せず、前記複数種類の相互認証すべてを実行した結果の異常を総括して、認証相手の制御手段に通知する総括通知手段とを含む。
（１０）  上記（４）または（８）の遊技用装置において、
前記第１の制御手段と前記第２の制御手段との前記認証は、
認証方式の異なる複数種類の相互認証処理を前記第１の制御手段と前記第２の制御手段との間で行なう相互認証処理手段と、
該相互認証処理手段による各相互認証の単独での認証結果が不適正な場合に該単独での認証結果を認証相手の制御手段に通知せず、前記複数種類の相互認証すべてを実行した結果の異常を総括して、認証相手の制御手段に通知する総括通知手段とを含む。